(57)【特許請求の範囲】
【請求項１】
外部機器からの制御信号に応じて動作する電子機器であって、
前記外部機器から電源制御の変更に関するＯＮ信号を受信する受信手段と、
外部電源からのＡＣ電力をＤＣ電力に変換する変換手段と、
前記電子機器がある電源制御状態の場合に、前記外部電源と前記変換手段とを遮断し、前記受信手段が前記ＯＮ信号を受信した場合に、前記外部電源と前記変換手段とを接続させるリレー手段と、
前記受信手段が前記ＯＮ信号を受信した場合に、前記電子機器が前記ある電源制御状態から他の電源制御状態に移行するまでの移行時間に関する情報を前記外部機器に送信する送信手段とを備える電子機器。
【請求項２】
前記ある電源制御状態では、消費電力が前記他の電源制御状態よりも小さい請求項１記載の電子機器。
【請求項３】
前記ある電源制御状態では、外部からの電力供給を受けない請求項１または２記載の電子機器。
【請求項４】
前記ある電源制御状態では、前記外部機器との所定通信方式での双方向通信が利用不可となり、前記他の電源制御状態では、前記外部機器との所定通信方式での双方向通信が利用可能となる請求項１乃至３いずれかに記載の電子機器。
【請求項５】
前記送信手段が送信する情報は、前記受信手段が対応可能な信号形式に関する情報を含む請求項１乃至４いずれかに記載の電子機器。
【請求項６】
前記送信手段が送信する情報は、前記受信手段が対応可能な信号形式と通信形式との両方に関する情報を含む請求項１記載の電子機器。
【請求項７】
前記送信手段は、前記電子機器の起動予定時刻に関する情報を前記外部機器に送信する請求項１記載の電子機器。
【請求項８】
前記電子機器が前記ある電源制御状態の場合に、前記受信手段に動作電力を供給するとともに、前記受信手段のうち前記外部機器が送信不可能な制御信号に対応する受信手段への前記動作電力の供給を停止する請求項１記載の電子機器。
【請求項９】
外部機器からの制御信号に応じて動作する電子機器の制御方法であって、
受信手段により、前記外部機器から電源制御の変更に関するＯＮ信号を受信し、
変換手段により、外部電源からのＡＣ電力をＤＣ電力に変換し、
リレー手段により、前記電子機器がある電源制御状態の場合に、前記外部電源と前記変換手段とを遮断するとともに、前記受信手段が前記ＯＮ信号を受信した場合に、前記外部電源と前記変換手段とを接続し、
送信手段により、前記受信手段が前記ＯＮ信号を受信した場合に、前記電子機器が前記ある電源制御状態から他の電源制御状態に移行するまでの移行時間に関する情報を前記外部機器に送信する電子機器の制御方法。
【発明の詳細な説明】
【技術分野】
【０００１】
本発明の実施形態は、動作状態を切り替える電子機器及び制御方法に関する。
【背景技術】
【０００２】
近年、テレビジョン放送受信装置等の電子機器は、待機時消費電力を削減するため、起動信号のみを待ち受ける待ち受け回路を含む低消費電力回路部を搭載している場合がある。このような電子機器は、テレビジョン放送受信装置の他に、例えば、ＨＤＤ／ＤＶＤレコーダ、ＤＶＤプレーヤ、パーソナルコンピュータ、エアコン、無線ルータ、セットトップボックスやホームゲートウェイといった家電機器である。この待ち受け回路は、リモートコントローラまたは他の電子機器からの起動信号を受信する。このような電子機器は、起動信号を受信した時に、電子機器全体への（具体的にはメイン回路や通信回路）への給電を開始する。この待ち受け回路は、具体的には、低消費電力回路部に設けられている電源から供給される微弱電流で駆動する。
【０００３】
このような電子機器は、低消費電力回路部以外の回路が動作しない低消費電力待機モードを備える。電子機器は、起動信号受信時に、低消費電力回路部以外の回路への給電を開始することで、低消費電力待機モードから通常動作モードまたは待機モードなどの動作モードへ遷移する。また、電子機器は、低消費電力待機モードでは、微弱電流で駆動する低消費電力回路部以外の回路への給電を停止するように制御できる。したがって、電子機器は、低消費電力待機モードにおける待機時消費電力を大幅に削減できる。
【先行技術文献】
【特許文献】
【０００４】
【特許文献１】特開２００９−８８６５１号公報
【発明の概要】
【発明が解決しようとする課題】
【０００５】
このような電子機器は、通信インタフェースを経由して他機器の電源をＯＮにする等の遠隔操作機能を実現する場合があり、このような遠隔操作機能を常時実現するためには、電子機器は、待機時であっても通信回路への給電を必要とする。このとき電子機器は、通信回路へ給電すると、待機時消費電力は増加する。しかし、電子機器は、通信回路への給電を停止すれば、待機時消費電力を削減できるが遠隔操作機能は実現できなくなる。
【０００６】
そのため、低消費電力待機モードでの電子機器は、例えば、放送波からのＥＰＧデータの取得、自機器向けの更新プログラムの取得、ＨＤＭＩ、有線ＬＡＮ／無線ＬＡＮ、ZigBee、Bluetooth（登録商標）等の通信路経由での他機器からの制御指令／信号への応答をすることができない。例えば、HDMI-CECコマンドによるＳＲＣ機器からＳＮＫ機器へのPower-On、有線ＬＡＮ／無線ＬＡＮによるWake on LANといった機能も、通信回路に給電されていない状態では実現できない。
【０００７】
例えば、HDMI-CECコマンドを用いれば、ＤＶＤプレーヤは、ディスクが挿入されるだけで、テレビジョン放送受信装置の電源をＯＮにし、映像入力をＨＤＭＩへ切り替え、ディスクのコンテンツを再生するように制御できる。しかしながら、テレビジョン放送受信装置側がＨＤＭＩ回路への給電を停止している場合、ユーザは、テレビジョン放送受信装置の電源をリモートコントローラで電源ＯＮに予めしておく必要がある。
【０００８】
さらに、家庭内で用いられる複数の電子機器は、様々な通信方式が採用されている。このような複数の電子機器は、それらの接続形態やネットワーク構成が複雑となり、所定の方式による１対１の組み合わせでの待機電力削減を全ての機器に適用するのは困難である。
【０００９】
そこで、この発明は、ユーザの利便性を損なうことなく、待機時消費電力を削減できる電子機器及び制御方法を提供することを目的とする。
【課題を解決するための手段】
【００１０】
実施形態に係る電子機器は、外部機器からの制御信号に応じて動作する。前記電子機器は、受信手段と変換手段とリレー手段と送信手段とを備える。前記受信手段は、前記外部機器から電源制御の変更に関するＯＮ信号を受信する。前記変換手段は、外部電源からのＡＣ電力をＤＣ電力に変換する。前記リレー手段は、前記電子機器がある電源制御状態の場合に、前記外部電源と前記変換手段とを遮断し、前記受信手段が前記ＯＮ信号を受信した場合に、前記外部電源と前記変換手段とを接続させる。前記送信手段は、前記受信手段が前記ＯＮ信号を受信した場合に、前記電子機器が前記ある電源制御状態から他の電源制御状態に移行するまでの移行時間に関する情報を前記外部機器に送信する。
【図面の簡単な説明】
【００１１】
【図１】第１の実施形態に係る映像録画再生装置の構成を示すブロック図。
【図２】第１の実施形態に係る通信システムの構成を示すブロック図。
【図３】第１の実施形態に係る待ち受け能力情報を示す図。
【図４】第１の実施形態に係る送信能力情報を示す図。
【図５】第１の実施形態に係る通知情報を示す図。
【図６】第１の実施形態に係る待ち受け開始時の動作を示すフローチャート。
【図７】第１の実施形態に係る他機器の待ち受け可能な起動信号リストを示す図。
【図８】第１の実施形態に係る起動信号の送信動作を示すフローチャート。
【図９】第８の実施形態に係る起動トリガによる電力源の充電を説明するフローチャート。
【図１０】第８の実施形態に係るタイマ満了時刻における電力源の充電を説明するフローチャート。
【発明を実施するための最良の形態】
【００１２】
（第１の実施形態）  
以下、図面を参照し、第１の実施形態について説明する。図１は、第１の実施形態に係る映像記録再生装置１の概略構成を示すブロック図である。すなわち、ＢＳ／ＣＳデジタル放送受信用のアンテナで受信した衛星デジタルテレビジョン放送信号は、入力端子１０１を介して衛星デジタル放送チューナ１０２に供給される。衛星デジタル放送チューナ１０２は、所望のチャンネルの放送信号を選局する。
【００１３】
そして、衛星デジタル放送チューナ１０２で選局された放送信号は、ＰＳＫ（phase shift keying）復調モジュール１０３に供給されて、デジタルの映像信号及び音声信号に復調された後、信号処理モジュール１０４に出力される。
【００１４】
また、地上波放送受信用のアンテナで受信した地上デジタルテレビジョン放送信号は、入力端子１０５を介して地上デジタル放送チューナ１０６に供給される。地上デジタル放送チューナ１０６は、ユーザが所望するチャンネルの放送信号を切り替えて選局する。地上デジタル放送チューナ１０６で選局された放送信号は、ＯＦＤＭ（orthogonal frequency division multiplexing）復調モジュール１０７に供給されて、デジタルの映像信号及び音声信号に復調された後、信号処理モジュール１０４に出力される。
【００１５】
信号処理モジュール１０４は、ＰＳＫ復調モジュール１０３、ＯＦＤＭ復調モジュール０７からそれぞれ供給されたデジタルの映像信号及び音声信号に対して、選択的に所定のデジタル信号処理を施し、グラフィック処理モジュール１０８及び音声処理モジュール１０９に出力している。グラフィック処理モジュール１０８は、信号処理モジュール１０４から供給されるデジタルの映像信号に、ＯＳＤ（on screen display）信号生成モジュール１１０で生成されるＯＳＤ信号を重畳して出力する機能を備える。このグラフィック処理モジュール１０８は、信号処理モジュール１０４の出力映像信号と、ＯＳＤ信号生成モジュール１１０の出力ＯＳＤ信号とを選択的に出力すること、また、両出力をそれぞれ画面の半分を構成するように組み合わせて出力することができる。
【００１６】
グラフィック処理モジュール１０８から出力されたデジタルの映像信号は、映像処理モジュール１１１に供給される。映像処理モジュール１１１により処理された映像信号は、出力端子１１３に供給される。出力端子１１３に供給された映像信号は、映像記録再生装置１に接続されたモニタ１００へ入力される。
【００１７】
音声処理モジュール１０９は、入力されたデジタルの音声信号を、スピーカ１１４で再生可能なフォーマットのアナログ音声信号に変換した後、出力端子１１５に供給する。出力端子１１５に供給された映像信号は、映像記録再生装置１に接続されたスピーカ２００へ入力される。
【００１８】
信号処理モジュール１０４には、内蔵ＨＤＤ（hard disk drive）１１６が接続されている。内蔵ＨＤＤ１１６は、地上デジタル放送チューナ１０６で選局した放送信号のコンテンツを記憶する。さらに、信号処理モジュール１０４には、ディスクドライブ２０５が接続されている。ディスクドライブ２０５は、光ディスク３００を回転駆動し、情報の読み書きを実行する。光ディスク３００は、例えば、ＤＶＤ（Digital Versatile Disc）である。
【００１９】
さらに、映像記録再生装置１は、電子機器メイン回路部１０と低消費電力回路部２０備える。電子機器メイン回路部１０は、制御モジュール１１、通信Ｉ／Ｆ１２、ＵＳＢ（universal serial bus） Ｉ／Ｆ１３、ＨＤＭＩ（High Definition Multimedia Interface） Ｉ／Ｆ１４、リレー回路１５、ＡＣ／ＤＣ変換モジュール１６、送信回路１７を備える。なお、電子機器メイン回路部１０は、衛星デジタルチューナ１０２、地上デジタルチューナ１０６を含んでいてもよい。
【００２０】
制御モジュール１１は、各種の受信動作を含む映像記録再生装置１における全ての動作を統括的に制御する。制御モジュール１１は、ＣＰＵ（central processing unit）１１ａ等を内蔵しており、操作モジュール１１７からの操作情報、または、リモートコントローラ４００から送信され受光モジュール１１８を介して受信した操作情報を受けて、その操作内容が反映されるように各モジュールをそれぞれ制御している。
【００２１】
制御モジュール１１は、主として、そのＣＰＵ１１ａが実行する制御プログラムを格納したROM（read only memory）１１ｂと、ＣＰＵ１１aに作業エリアを提供するＲＡＭ（random access memory）１１ｃと、各種の設定情報及び制御情報等が格納される不揮発性メモリ１１ｄとを利用している。通信Ｉ／Ｆ１２は、制御モジュール１１と接続されている。ＣＰＵ１１ａは、通信Ｉ／Ｆ１２を介して無線または有線通信することで、外部機器から信号を送受信する。通信Ｉ／Ｆ１２は、信号の送信手段として機能する。図１には、１つの通信Ｉ／Ｆ１２しか図示していないが、映像記録再生装置１は、複数の通信Ｉ／Ｆを備えていてもよい。また、ＣＰＵ１１ａは、ＵＳＢ Ｉ／Ｆ１２を介してＵＳＢ端子１１９に接続されている。これにより、ＣＰＵ１１ａは、ＵＳＢ端子１１９に接続された外部機器とＵＳＢ Ｉ／Ｆ１３を介して情報伝送する。また、ＣＰＵ１１ａは、ＨＤＭＩ Ｉ／Ｆ１４を介しＨＤＭＩ端子１２０と接続されている。これにより、ＣＰＵ１１ａは、ＨＤＭＩ端子１４に接続されている外部機器とＨＤＭＩ Ｉ／Ｆ１４を介して情報伝送する。
【００２２】
リレー回路１５は、家庭内のコンセントから映像記録再生装置１への電力供給線を物理的に遮断可能なリレーを備える。リレー回路１５は、ユーザによるリレー回路１５に設けられたスイッチの押下、ＣＰＵ１１ａによる制御、後述する無線処理モジュール２３による制御によってリレーを切り替え、電力供給の開始／停止を切り替える。ＡＣ／ＤＣ変換モジュール１６は、家庭内コンセントから供給される交流電流を直流電流に変換する。ＡＣ／ＤＣ変換モジュール１６は、電子機器メイン回路部１０の各部及び低消費電力回路部２０の後述する電力源２１に給電する。送信回路１７は、後述するように、低消費電力待機モードの他の電子機器を起動させるための特定パターンの有線信号／無線信号である起動信号（電力制御状態の変更を指示する指示信号）を送信する。図１には、１つの送信回路１７しか図示していないが、映像記録再生装置１は、複数の送信回路を備えていてもよい。
【００２３】
低消費電力回路部２０は、電力源２１、待ち受け回路２２、無線処理モジュール２３、タイマ２４を備える。低消費電力回路部２０は、他の電子機器からの起動信号に応じて、リレー回路１５を介した電子機器メイン回路部１０への電力供給の開始／停止を制御する。つまり、低消費電力回路部２０は、映像記録再生装置１を後述する低消費電力待機モードから通常動作モードまたは待機モードへ遷移させる。電力源２１は、電力を蓄積する。映像記録再生装置１が低消費電力待機モードである場合、電力源２１は、低消費電力回路部２０の各部に電力を供給する。電力源２１は、電子機器メイン回路部１０からの給電によって充電される。
【００２４】
待ち受け回路２２は、他の電子機器からの無線信号を受信する。図１には、１つの待ち受け回路２２しか図示していないが、映像記録再生装置1は、複数の待ち受け回路を備えていてもよい。無線処理モジュール２３は、待ち受け回路２２から転送される信号を処理する。無線処理モジュール２３は、待ち受け回路２２で受信した信号が映像記録再生装置１の起動信号であるかどうかを判断する。待ち受け回路２２で受信した信号が起動信号である場合、無線処理モジュール２３は、電子機器メイン回路部１０のリレー回路１５を制御し、コンセントから電子機器メイン回路部１０へ電力供給を開始するように制御する。無線処理モジュール２３は、電力制御状態の変更手段として機能する。つまり、無線処理モジュール２３は、起動信号を受信した場合、電力制御状態を低消費電力待機モード（第１の電力消費を行なう状態）から、通常動作モードあるいは待機モード（第１の電力消費より多い第２の電力消費を行なう状態）へと変更する。タイマ２４は、時刻または時間をカウントする。タイマ２４は、特定の時刻もしくは現時刻から数時間後、といった指定時刻（タイマ満了時刻）に電子機器メイン回路部１０のリレー回路１５を制御し、コンセントから電子機器メイン回路部１０への電力供給を開始する。また、無線処理モジュール２３は、待ち受け回路２２の動作のＯＮ／ＯＦＦを制御する。
【００２５】
次に、映像記録再生装置１における各動作モードについて説明する。映像記録再生装置１は、低消費電力待機モードとそれ以外の動作モード（例えば、通常動作モード、待機モード）を備える。低消費電力待機モードは、リレー回路１５が映像記録再生装置１への電力供給を停止しているため、低消費電力回路部２０は動作するが、電子機器メイン回路部１０は動作しない動作モードである。つまり、映像記録再生装置１は、通信Ｉ／Ｆ１２を介して他の外部機器と通信できない。したがって、映像記録再生装置１は、低消費電力待機モードにおいて、リレー回路１５を介して電力供給されないため、消費電力を大幅に削減できる。
【００２６】
これに対して、低消費電力待機モード以外の動作モードは、リレー回路１５が映像記録再生装置１へ電力供給するため、低消費電力回路部２０及び電子機器メイン回路部１０が動作する動作モードである。したがって、映像記録再生装置１は、低消費電力待機モード以外の動作モードでは、低消費電力待機モードに比べて消費電力が大きくなる。また、消費電力待機モードの際には映像記録再生装置１は外部からの電力の供給を必要としない。
【００２７】
次に、映像記録再生装置１と同様の機能を備えた複数の電子機器間で様々な通信方式で相互に接続された通信システムについて説明する。第１の実施形態は、ある電子機器から他の電子機器へ起動信号を送ることにより、低消費電力待機モードの他の電子機器を通常動作モードまたは待機モードに遷移させる構成である。
【００２８】
図２は、複数の電子機器間における通信システムを概略的に示す図である。電子機器Ａは、図１に示す映像記録再生装置１を概略的に示している。電子機器Ｂ、電子機器Ｃは、映像記録再生装置１のような電子機器メイン回路部１０、低消費電力回路部２０それぞれと同様の構成を備える機器である。なお、図２では、説明の簡略化のため、電子機器Ａ、電子機器Ｂ、電子機器Ｃは、それぞれが備える送信回路及び待ち受け回路のみ図示する。第１の実施形態は、２以上の電子機器の通信システムで適用できる。図２は、３つの電子機器から成る通信システムを示しているが、電子機器の数は特に限定しない。電子機器は、テレビジョン放送受信装置、ＨＤＤレコーダ、パーソナルコンピュータ、無線ルータ、ホームゲートウェイ、ケーブルテレビのセットトップボックス、さらにはエアコンや冷蔵庫等の各種家電機器であってもよく、特に限定しない。
【００２９】
電子機器Ａは、第１の送信回路１７ａ、第２の送信回路１７ｂ，第１の待ち受け回路２２ａ、第２の待ち受け回路３３ｂを備える。第１の送信回路１７ａ、第２の送信回路１７ｂは、送信回路１７と同様の構成である。第１の待ち受け回路２２ａ、第２の待ち受け回路２２ｂは、待ち受け回路２２と同様の構成である。
【００３０】
電子機器Ｂは、第１の送信回路５１ａ、第２の送信回路５１ｂ、第３の送信回路５１ｃ、第１の待ち受け回路５２ａ、第２の待ち受け回路５２ｂ、第３の待ち受け回路５２ｃを備える。第１の送信回路５１ａ、第２の送信回路５１ｂ、第３の送信回路５１ｃは、送信回路１７と同様の構成である。第１の待ち受け回路５２ａ、第２の待ち受け回路５２ｂ、第３の待ち受け回路５２ｃは、待ち受け回路２２と同様の構成である。
【００３１】
電子機器Ｃは、第３の送信回路６１、第３の待ち受け回路６２を備える。第３の送信回路６１は、送信回路１７と同様の構成である。第３の待ち受け回路６２は、待ち受け回路２２と同様の構成である。
【００３２】
本通信システムでは、第１の待ち受け回路は、他の電子機器の第１の送信回路から送信される起動信号を受信する。同様に、第２の待ち受け回路は、他の電子機器の第２の送信回路から送信される起動信号を受信する。第３の待ち受け回路は、他の電子機器の第３の送信回路から送信される起動信号を受信する。言いかえれば、第１の待ち受け回路は、第１の送信回路以外の送信回路から送信される起動信号を受信しない。第２の待ち受け回路、第３の待ち受け回路についても同様である。第１の送信回路、第２の送信回路、第３の送信回路は、起動信号の送信手段として機能する。第１の待ち受け回路、第２の待ち受け回路、第３の待ち受け回路は、起動信号の受信手段として機能する。
【００３３】
また、電子機器Ａと電子機器Ｂは、通信方式ａで通信する。電子機器Ａと電子機器Ｃは、通信方式ａと異なる通信方式ｂで通信する。通信方式ａ及び通信方式ｂそれぞれは、例えば、HDMI-CEC、Ethernet(登録商標)(IEEE 802.3)、無線LAN(IEEE 802.11)、Bluetooth(IEEE 802.15.1)、ZigBee(IEEE 802.15)のいずれかであるが、これに限定されない。電子機器Ａ、電子機器Ｂ、電子機器Ｃは、通常動作モードまたは待機モード時は、各通信方式で相互に通信可能である。
【００３４】
次に、電子機器間の通信路について説明する。通信路は、以下のタイプが存在する。電子機器間を１対１で接続するタイプは、例えば、ＨＤＭＩである。電子機器間を１対多で接続するタイプは、例えば、ＵＳＢ、ＩＥＥＥ１３９４である。多対多で接続するタイプは、例えば、有線LAN、無線LAN、Bluetooth、ZigBeeである。各電子機器は、少なくとも双方向の通信手段を備える。
【００３５】
次に、電子機器間における各種情報の送信方法について説明する。ここでの各種情報とは少なくとも能力情報を含む情報であり、この能力情報については後述にて説明を行なう。１対１で接続するタイプの通信方法においては、宛先情報等が不要で直接各種情報を伝送できる。各種情報を送信するタイミングは、電子機器間の通信方式に依存する。通信路がＨＤＭＩであれば、電子機器は、通信路確立のフェーズ等で各種情報を交換してもよい。また、電子機器は、一連の確立手順が終わってから独立に各種情報の交換を始めてもよい。また、電子機器は、実通信の開始をきっかけにして、その前後で各種情報の交換を始めてもよい。
【００３６】
１対多または多対多で接続するタイプの通信方法においては、各種情報の送信方法として複数のバリエーションが存在する。１つ目は、電子機器が相手機器を検出する時に各種情報を送受信する方法である。例えば、電子機器は、マルチキャスト／ブロードキャストによる探索要求とそのユニキャストな応答によって各種情報を伝送する。この場合、電子機器は、各種情報を広告できる機器に対する探索要求を受信し、それに答える形で各種情報を通知する。また、電子機器は、マルチキャスト／ブロードキャストによる存在情報の広告とその受信によって各種情報を伝送する。この場合、電子機器は、各種情報を広告できることをアピールし、その要求を受けた時に各種情報を通知する。また、電子機器は、マルチキャスト／ブロードキャストによる詳細情報の広告によって伝送する。この場合、電子機器は、各種情報を常に通知する。
【００３７】
２つ目は、電子機器が相手機器と通信を開始する時である。例えば、電子機器は、ユニキャストによる通信で各種情報を伝送する。３つ目は、電子機器が相手機器との通信を終了する時であり、例えば既存の通信路が切れる時である。４つ目は、電子機器が実際に状態遷移する時である。電子機器は、マルチキャスト／ブロードキャストにより、ネットワーク上に広く動作状態の遷移を通知する。また、電子機器は、過去の通信履歴に従って、所定の相手に対してユニキャストで各種情報を通知することもできる。
【００３８】
第１の送信回路、第２の送信回路、第３の送信回路が送信する起動信号は、例えばテレビの赤外線リモコンから発せられる電源ＯＮ信号であったり、ＨＤＭＩのＨＰＤ線の５Ｖプルアップであったり、BluetoothのPageパケット、ＷｉＦｉのビーコンであるが、規格化されていない信号パターンであってもよく、これに限られない。第１の送信回路、第２の送信回路、第３の送信回路は、例えば、赤外線モジュール、ＨＤＭＩ処理用ＬＳＩ、Bluetoothモジュールであるが、その他独自方式の信号発生回路であってもよく、これに限られない。なお、送信回路と待ち受け回路との間の信号及び通信Ｉ／Ｆを介した電子機器間の信号との関連性は問わない。
【００３９】
なお、図２に示すように、電子機器Ａは、第１の待ち受け回路２２ａと第２の待ち受け回路３３ｂと２つの回路を備えているが、同一回路で複数の起動信号を待ち受けるように構成されていてもよい。第１の待ち受け回路３０１と第２の待ち受け回路３０２は、通信方式ａ、ｂを実現する通信Ｉ／Ｆ１２またはその一部によって実現されてもよい。同様に、電子機器Ａは、第１の送信回路１７ａと第２の送信回路１７ｂと２つの回路を備えているが、同一回路で複数の起動信号を送信するように構成されていてもよい。同様に、第１の送信回路１７ａと第２の送信回路１７ｂは、通信方式ａ、ｂを実現する通信Ｉ／Ｆ１２またはその一部によって実現してもよい。電子機器Ｂについても同様である。
【００４０】
次に、電子機器間において、他の電子機器を起動させるために交換するの各種情報について説明する。電子機器Ａ、電子機器Ｂ、電子機器Ｃは、通信方式ａ、通信方式ｂを用いて、相互に能力情報及び通知情報を交換する。能力情報は、待ち受け能力情報及び送信能力情報を含む。能力情報及び通知情報の交換は、プロトコルやデータフォーマットが通信方式に依存して異なる場合もあるため、ＸＭＬフォーマットのファイル等でやり取りしてもよく、これ限られない。電子機器Ａは、自機器の能力情報及び通知情報を不揮発性メモリ１１ｄに保持する。電子機器Ｂ、電子機器Ｃも同様である。
【００４１】
図３は、待ち受け能力情報の一例を示す図である。待ち受け能力情報は、電子機器Ａであれば第１の待ち受け回路２２ａ及び第２の待ち受け回路２２ｂに関する情報である。待ち受け能力情報は、待ち受け回路における少なくとも待ち受けに用いる通信方式、信号に関する情報を含む。待ち受け能力情報は、さらに、待ち受け回路の識別ＩＤ、起動所要時間、待機時消費電力やその他の情報（例えば文字列など）も含んでもよい。識別ＩＤは、待ち受け回路に割り当てられた固有のＩＤである。起動所要時間は、待ち受け回路が起動信号受信後に安定な通信を開始するまでの時間である。待機時消費電力は、待ち受け回路の待機時における消費電力である。
【００４２】
図４は、送信能力情報の一例を示す図である。送信能力情報は、電子機器Ａであれば第１の待ち受け回路１７ａ及び第２の待ち受け回路１７ｂに関する情報である。送信能力情報は、送信回路において、少なくとも起動信号の送信に用いられる通信方式に関する情報、起動信号を特定する信号形式に関する情報を含む。送信能力情報は、さらにその他の情報も含んでもよい。
【００４３】
図５は、通知情報の一例を示す図である。通知情報は、例えば自機器が低消費電力待機モード時に他の電子機器から待ち受ける起動信号に関する情報である。通知情報は、待ち受け信号に関する情報（通信方式、信号形式、識別ＩＤやその他の情報）を１以上含む。さらに、通知情報は、起動所要時間、次回起動予定時刻、待機時消費電力やその他の情報も含んでもよい。次回起動予定時刻は、予約録画などで自機器が低消費電力待機モードから通常動作モードまたは待機モードへ自立的に遷移する時刻である。
【００４４】
次に、電子機器間における各種情報の交換について説明する。図６は、電子機器における待ち受け開始時動作を説明するフローチャートである。ここでは、電子機器Ａと電子機器Ｂとの間の情報交換について説明する。電子機器Ａと電子機器Ｃとの間の情報交換についても同様である。初期状態において、電子機器Ａと電子機器Ｂは、共に通常動作モードであるとする。はじめに、電子機器Ａは、電子機器Ｂと通信方式ａで通信を開始する（Ｂｌｏｃｋ１０１）。通信方式ａがBluetoothの場合、電子機器Ａは、電子機器ＢにＰａｇｅパケットを送信してＡＣＬ接続を確立し、その後にＬ２ＣＡＰ論理チャネルを確立する。
【００４５】
次に、電子機器Ａと電子機器Ｂは、互いに能力情報を送受信する（Ｂｌｏｃｋ１０２）。電子機器Ａと電子機器Ｂは、それぞれが保持する待ち受け能力情報と送信能力情報を交換する。電子機器Ａは、第１の待ち受け回路２２ａ及び第２の待ち受け回路２２ｂに関する待ち受け能力情報、第１の送信回路１７ａ及び第２の送信回路１７ｂに関する送信能力情報を電子機器Ｂへ送信する。一方、電子機器Ｂは、第１の待ち受け回路５２ａ、第２の待ち受け回路５２ｂ及び第３の待ち受け回路５２ｃに関する待ち受け能力情報、第１の送信回路５１ａ、第２の送信回路５１ｂ及び第３の送信回路５１ｃに関する送信能力情報を電子機器Ａへ送信する。電子機器Ａは、電子機器Ｂから受信した電子機器Ｂに関する待ち受け能力情報と送信能力情報を不揮発性メモリ１１ｄに保持する。電子機器Ｂも同様である。電子機器Ａと電子機器Ｂの間で相互に待ち受け／起動が可能な組み合わせは、第１の待ち受け回路と第１の送信回路、第２の待ち受け回路と第２の送信回路である。待ち受け回路３と送信回路３は、電子機器Ｂのみが持つ機能となるので、電子機器Ｂは、待ち受け回路３と送信回路３を電子機器Ａとの間の待ち受け／起動では使用しない。
【００４６】
次に、電子機器Ａは、ユーザによる操作または自立的な条件判断処理に基づいて通常動作モードを終了するか否か判断する（Ｂｌｏｃｋ１０３）。自立的な条件判断処理とは、例えば、予約録画などの予約動作の終了である。電子機器Ａが通常動作モードを終了しない場合（Ｂｌｏｃｋ１０３、Ｎｏ）電子機器Ａは、通常動作モードを継続する。電子機器Ｂについても同様である。
【００４７】
例えば、電子機器Ｂが通常動作モードを終了する場合（Ｂｌｏｃｋ１０３、Ｙｅｓ）、電子機器Ｂは、通信方式ａにより通知情報を電子機器Ａに送信する（Ｂｌｏｃｋ１０４）。電子機器Ｂは、通常動作モードを終了し、低消費電力待機モードへ遷移する。電子機器Ａは、電子機器Ｂに関する通知情報を不揮発性メモリ１１ｄに保持する。その後、電子機器Ｂは、通信方式ａによる電子機器Ａとの通信を停止し、第１の待ち受け回路５２ａ、第２の待ち受け回路５２ｂ、第３の待ち受け回路５２ｃで起動信号の待ち受けを開始する（Ｂｌｏｃｋ１０５）。
【００４８】
次に、電子機器Ａが、電子機器Ｂ及び電子機器Ｃから取得した待ち受け能力情報、送信能力情報、通知情報に基づいて保持する情報について説明する。電子機器Ｂ、電子機器Ｃについても同様に情報を保持する。電子機器Ａは、他機器の待ち受け可能な起動信号リスト及び他機器の送信可能な起動信号リストを保持する。図７は、他機器の待ち受け可能な起動信号リストを示す図である。他機器の待ち受け可能な起動信号リストは、電子機器Ａが通信可能な電子機器毎で待ち受け可能な起動信号に関する情報のリストである。起動信号リストは、少なくとも待ち受け可能な起動信号の通信方式及び信号に関する情報を含む。電子機器Ａは、電子機器Ｂ及び電子機器Ｃから取得した待ち受け能力情報及び通知情報に基づいて、他機器の待ち受け可能な起動信号リストを作成する。
【００４９】
他機器の送信可能な起動信号リストは、電子機器Ａが通信可能な電子機器毎の送信可能な起動信号に関する情報のリストである。他機器の送信可能な起動信号リストは、図７に示す他機器の待ち受け可能な起動信号リストと同様である。他機器の送信可能な起動信号リストは、少なくとも送信可能な起動信号の通信方式及び信号に関する情報を含む。電子機器Ａは、電子機器Ｂ及び電子機器Ｃから取得した送信能力情報に基づいて、他機器の送信可能な起動信号リストを作成する。
【００５０】
図８は、起動信号の送信動作を説明するフローチャートである。ここでは、電子機器Ａが電子機器Ｂに対して起動信号を送信する場合について説明する。電子機器Ａは通常動作モード、電子機器Ｂは低消費電力待機モードであるとする。さらに、電子機器Ａと電子機器Ｂは、図６で説明したように能力情報、通知情報を互いに交換しているものとする。
【００５１】
はじめに、電子機器Ａは、不揮発性メモリ１１ｄから起動対象となる電子機器に関する情報を呼び出す（Ｂｌｏｃｋ２０１）。電子機器Ａは、不揮発性メモリ１１ｄで保持している他機器の待ち受け可能な起動信号リストから、電子機器Ｂに関する情報を選択する。電子機器Ａは、電子機器Ｂで待ち受け可能な起動信号を判断する。電子機器Ａは、他機器の待ち受け可能な起動信号リストと自機器の送信能力情報とを比較して、電子機器Ｂに送信する起動信号を決定する。電子機器Ａは、第１の送信回路１７ａ、第２の送信回路１７ｂのいずれから電子機器Ａに起動信号を送信できると判断する。
【００５２】
電子機器Ａは、第１の送信回路１７ａ、第２の送信回路１７ｂのいずれか任意の一方から電子機器Ｂが待ち受けている起動信号を送信する（Ｂｌｏｃｋ２０２）。ＣＰＵ１１ａは、第１の送信回路１７ａ、第２の送信回路１７ｂのいずれから起動信号を送信するか選択する。電子機器Ｂは、第１の送信回路５１ａ、第２の送信回路５１ｂの少なくとも一方で起動信号を受信すると、低消費電力待機モードから通常動作モードあるいは待機モードへ移行する。したがって、電子機器Ｂは、電子機器Ａと通信方式ａで通信可能となる。
【００５３】
次に、電子機器Ａは、起動信号を電子機器Ｂに送信後、起動対象となる電子機器Ｂが通信可能となる起動所要時間だけ経過したか否かを判断する（Ｂｌｏｃｋ２０３）。電子機器Ａは、電子機器Ｂから受信した通知情報に含まれる起動所要時間の情報に基づいて、起動信号を送信後、起動所要時間分だけ通信方式ａによる電子機器Ｂとの通信開始の手続きを待つ。電子機器Ｂも同様に、自機器の起動所要時間分だけ通信開始の手続きを待つ。電子機器Ａ及び電子機器Ｂは、起動所要時間分だけ通信開始の手続きを待つことにより、それ以降に開始する通信を効率よく、安定に開始できる。起動所要時間経過していない場合（Ｂｌｏｃｋ２０３、Ｎｏ）、電子機器Ａは、起動所要時間経過するまで通信開始の手続を待つ。なお、電子機器Ａが送信した起動信号に対応する子機器Ｂの起動所要時間に関する情報を取得していない場合、任意のタイミングで通信開始の手続を実行してもよい。
【００５４】
起動所要時間経過した場合（Ｂｌｏｃｋ２０３、Ｙｅｓ）、電子機器Ａは、通信方式ａによる電子機器Ｂとの通信開始の手続きを実行する（Ｂｌｏｃｋ２０４）。電子機器Ａは、電子機器Ｂに対して通信方式ａによって規定される通信開始の手続きを実行する。通信開始の手続きが実行されない場合（Ｂｌｏｃｋ２０４、Ｎｏ）、電子機器Ａは、通信方式ａによる電子機器Ｂとの通信開始の手続きを再実行する。なお、電子機器Ａは、通信開始の手続きを失敗した場合、第１の送信回路３０３、第２の送信回路３０４のいずれかから電子機器Ｂに未送信の起動信号があれば、その起動信号を送信してもよい。通信開始の手続きが実行された場合（Ｂｌｏｃｋ２０４、Ｙｅｓ）、電子機器Ａは、通信方式ａにより電子機器Ｂと通信を開始する。その後、電子機器Ａと電子機器Ｂは、図６に示すフローを再び実行する。
【００５５】
なお、Ｂｌｏｃｋ２０２で、電子機器Ｂは、電子機器Ａと通信方式ａで通信可能となるモードに遷移すればよく、通常動作モードに遷移するか待機モードに遷移するかはについては問わない。例えば、電子機器Ｂがテレビジョン放送受信装置であって、電源ＯＮして画面を表示する場合、電子機器Ｂは通常動作モードに遷移する。しかしながら、テレビジョン放送受信装置は、その記憶装置に保持されたコンテンツをＤＬＮＡによって別のテレビジョン放送受信装置で表示するような場合、画面をＯＮにする必要はない。つまり、電子機器Ａと電子機器Ｂとの間の通信可能な状態とは、通信方式ａがBluetoothの場合であればPage Scanを実行することに相当する。
【００５６】
また、電子機器Ａは、Ｂｌｏｃｋ２０２で、第１の送信回路１７ａ、第２の送信回路１７ｂいずれか任意の一方から起動信号を電子機器Ｂに送信しているが、これに限られない。電子機器Ａは、電子機器Ｂに対する起動信号の送信履歴から、第１の送信回路１７ａ、第２の送信回路１７ｂのうち最も電子機器Ｂの起動に成功する確率の高い方を優先して用いてもよい。電子機器Ａは、第１の送信回路１７ａ、第２の送信回路１７ｂの両方を用いて起動信号を電子機器Ｂに送信してもよい。
【００５７】
第１の実施形態の一例として、電子機器Ａが映像録画再生装置１であり、電子機器Ｂがテレビジョン放送受信装置の場合について説明する。電子機器Ａと電子機器Ｂは、ＨＤＭＩによって接続されているとする。電子機器Ｂが通常動作モードの場合、電子機器Ａは、ユーザが光ディスク３００を電子機器Ａに挿入するとHDMI-CECコマンドによって電子機器Ｂの電源をＯＮにする。そして、電子機器Ａは、電子機器Ｂの入力をＨＤＭＩに切り替え、光ディスク３００の再生を開始する。一方、電子機器Ｂが低消費電力待機モードの場合、電子機器Ａは、電子機器Ｂ対して起動信号を送信し、電子機器Ｂが通常動作モードに遷移した後に、電子機器Ｂに対してＨＤＭＩにより通信できる。
【００５８】
第１の実施形態によれは、ユーザの利便性を損なうことなく個々電子機器について低消費電力待機モードを実現し、システム全体の待機時消費電力を大幅に削減できる。
【００５９】
（第２の実施形態）  
第２の実施形態は、自機器では起動させられない通信対象となる電子機器を、他の電子機器を介して起動させる構成である。ここでは、通常動作モードの電子機器Ａが低消費電力待機モードの電子機器Ｃと通信方式ｂにより通信を開始したい場合について説明する。電子機器Ａは、他機器の待ち受け可能な起動信号リストと自機器の送信能力情報とを比較して、電子機器Ｃを起動するための起動信号を送信できないと判断する。
【００６０】
電子機器Ａは、不揮発性メモリ１１ｄに保持する他機器の送信可能な起動信号リストに基づいて、電子機器Ｂは電子機器Ｃを起動するための起動信号を送信できると判断する。電子機器Ａは、第３の送信回路５２ｃを用いて電子機器Ｃに起動信号を送信するように電子機器Ｂに対して指令を出す。電子機器Ａは、間接的に電子機器Ｃを低消費電力待機モードから通常動作モードあるいは待機モードへ遷移させることができる。なお、電子機器Ｂは、第３の送信回路５２ｃから電子機器Ｃに対して起動信号を送信するのみであり、電子機器Ｃとは通信できない。
【００６１】
第２の実施形態によれば、自機器が通信対象となる電子機器を起動するための起動信号を送信する能力を持たない場合であっても、自機器は、他の電子機器を介して通信対象となる電子機器を通信可能な状態に遷移させることができる。
【００６２】
（第３の実施形態）  
第３の実施形態は、通知情報に含まれる次回起動予定時刻を用いて各機器間で通信を開始する構成である。ここでは、電子機器Ａが低消費電力待機モード、電子機器Ｃが通常動作モードとする。
【００６３】
電子機器Ｃは、電子機器Ａに対して通信したい情報を有しているとしても、他機器の待ち受け可能な起動信号リストと自機器の送信能力情報とを比較して、電子機器Ａを起動するための起動信号を送信できないと判断する。この場合、電子機器Ｃは、電子機器Ａから受信した通知情報に含まれる次回起動予定時刻の情報に基づいて、電子機器Ａが通信可能となる時刻を取得する。電子機器Ｃは、電子機器Ａが起動する時刻になった時点で、電子機器Ａと通信を開始すればよい。電子機器Ｃは、この時刻になった時点で、例えば、待ち受け能力情報、送信能力、通知情報の更新された情報を通信方式ｂにより電子機器Ａに送信すればよい。したがって、電子機器Ｃは、電子機器Ａを起動させるための起動信号を送信する能力を持たないが、電子機器Ａの次回起動予定時刻の情報を利用することによって通信機会を得られる。
【００６４】
第３の実施形態によれば、自機器で他の電子機器を起動させるための起動信号を送信する能力を持つか否かに限らず、通信情報に含まれる次回起動予定時刻の情報を通信システム内の電子機器間で共有する情報の更新タイミングとして利用できる。
【００６５】
（第４の実施形態）  
第４の実施形態は、待ち受け回路のＯＮ／ＯＦＦを制御する構成である。例えば、電子機器Ｂは、他機器の送信可能な起動信号リストと自機器の待ち受け能力情報とを比較して、不要な待ち受け回路の動作を停止させる。
【００６６】
ここでは、電子機器Ａと電子機器Ｂとの間での通信について説明する。電子機器Ｂは、通信システム内で自機器を起動させるための起動信号であって他の電子機器が送信不可能な起動信号に関する情報を、自機器で待ち受け可能な全ての起動信号に関する情報から削除した通知情報を他の電子機器に送信する。その後、電子機器Ｂは、その待ち受け回路への給電を停止する。具体的には、電子機器Ｂは、第３の待ち受け回路４０３の動作を停止する。電子機器Ｂは、第１の待ち受け回路４０１及び第２の待ち受け回路４０２のいずれか１つ、または両方で起動信号を待ち受ける。したがって、電子機器Ｂは、第１の待ち受け回路４０１及び第２の待ち受け回路４０２で待ち受けることができる起動信号に関する情報を含む通知情報を他の電子機器Ｂに送信する。電子機器Ｂは、動作させる待ち受け回路の数を制限することで、さらに待機電力を削減できる。なお、電子機器Ｂが例えば通信方式ｃで電子機器Ｃから送信能力情報を取得している場合、電子機器Ｂは、第３の待ち受け回路４０３の動作を停止させることはない。
【００６７】
また、電子機器Ｂは、待機時の消費電力がより小さい方式を選択できる。例えば、電子機器Ｂは、電子機器Ａに対して送信する通知情報から、待機時の消費電力の大きい待ち受け回路で待ち受ける起動信号に関する情報を削除する。この場合、電子機器Ａは、この待ち受け回路で待ち受ける起動信号を送信するための送信回路の動作を停止できる。そして、電子機器Ｂは、この待ち受け回路の動作を停止できる。
【００６８】
また、通信システム内の複数の電機機器は、通信システム内で多く使われる起動信号を送信する送信回路、それを受信する待ち受け回路を起動し、他の起動信号を送信する送信回路、受信する待ち受け回路の動作を停止するようにしてもよい。
【００６９】
第４の実施形態によれば、電子機器が備える複数の待ち受け回路、送信回路のうち任意の数の回路の動作を停止することで、待機時の消費電力を削減することができる。
【００７０】
（第５の実施形態）  
第５の実施形態は、低消費電力待機モードの電子機器における待機時消費電力の情報をユーザに通知する構成である。ここでは、電子機器Ａが電子機器Ｂ及び電子機器Ｃの待機時消費電力の情報をユーザに通知する場合について説明する。電子機器Ａは通常動作モード、電子機器Ｂ及び電子機器Ｃは低消費電力待機モードとする。
【００７１】
電子機器Ａは、低消費電力待機モードの電子機器Ｂ及び電子機器Ｃと通信できない。したがって、電子機器Ａは、電子機器Ｂ及び電子機器Ｃの現時刻の待機時消費電力をリアルタイムに取得できない。しかしながら、電子機器Ａは、電子機器Ｂ及び電子機器Ｃそれぞれから任意のタイミングで通知情報を取得している。電子機器Ａは、通知情報に含まれている待機時消費電力の情報に基づいて、低消費電力待機モードにおける電子機器Ｂ及び電子機器Ｃそれぞれの待機時消費電力の情報を取得する。したがって、電子機器Ａは、例えば、電子機器Ａに接続されているモニタ１００に、自機器の消費電力、電子機器Ｂ及び電子機器Ｃそれぞれの待機時消費電力を表示するように制御できる。
【００７２】
第５の実施形態によれば、ユーザは、低消費電力待機モードの電子機器を起動することなく、その電子機器の待機時消費電力の情報を他の電子機器から取得できる。
【００７３】
（第６の実施形態）  
第６の実施形態は、相互に起動させる能力を持たない電子機器において、他の電子機器を介さずに起動させる構成である。図２に示すように、電子機器Ａと電子機器Ｃは、相互に起動させる能力を備えていない。したがって、ユーザが通信方式ｂにより電子機器Ｃとの連携を必要とする操作を電子機器Ａを用いてした場合、電子機器Ａは、例えば、電子機器Ａに接続されているモニタ１００に、「電子機器Ｃの電源をＯＮにして下さい」といったメッセージを表示するように制御する。
【００７４】
また、電子機器Ｃは、電子機器Ｂと通信できないため、電子機器Ａを起動する直接的／間接的な手段を備えていない。したがって、電子機器Ｃは、第２の実施形態で説明したように、他の電子機器である電子機器Ｂを介して電子機器Ａを起動させることもできない。この場合、電子機器Ｃは、自機器が起動している時刻に電子機器Ａも起動していればよい。はじめに、電子機器Ｃは、自機器で設定された電子機器Ａと連携を必要とする予約動作の時刻を取得する。次に、電子機器Ｃは、この時刻に電子機器Ａが起動しているように、電子機器Ａに対して次回起動予定時刻を設定するように予め指令を出す。電子機器Ａは、電子機器Ｃから受信した指令に基づいて、この時刻に通常動作モードに遷移するようにタイマ２４を設定する。電子機器Ａは、電子機器Ｃから受信した指令に基づいて、例えばモニタ１００に、「この時刻に低消費電力待機モードとならないように次回起動予定時刻を設定してください」といったメッセージを表示するように制御してもよい。
【００７５】
第６の実施形態によれば、電子機器は、直接的／間接的に起動させる手段を備えていない他の電子機器に対しても、次回起動予定時刻関する情報を利用して、適当なタイミングで通信可能となる。
【００７６】
（第７の実施形態）  
第７の実施形態は、起動された電子機器が再び低消費待機電力モードに遷移する構成である。ここでは、図８のＢｌｏｃｋ２０４において、電子機器Ａが電子機器Ｂに対して起動信号を送信した後、電子機器Ａが、起動所要時間経過後であっても通信方式ａにより電子機器Ｂと通信を開始しない場合について説明する。
【００７７】
電子機器Ｂは、電子機器Ａから起動信号を受信してから一定の待ち受け時間が経過しても電子機器Ａと通信方式ａによる通信が開始されない場合に、再び低消費待機電力モードに遷移する。待ち受け時間は、例えば、起動所要時間に対応した時間であり、図３に示すように通信方式がBluetoothであれば、５秒である。待ち受け時間は、電子機器Ａが通常動作モードに遷移した後からカウントされてもよい。
【００７８】
なお、待ち受け時間は、待ち受け能力情報や通知情報に含めるようにしてもよい。また、電子機器Ａが通信方式ａによる通信の準備に待ち受け時間よりも多くの時間がかかる場合、電子機器Ａは、電子機器Ｂに対して待ち受け時間の延長を要求するようにしてもよい。待ち受け時間の延長の要求は、任意のタイミングでよく、例えば、起動信号送信後であって一定時間経過前である。
【００７９】
第７の実施形態によれば、電子機器は起動信号を受信してから待ち受け時間経過後に再び低消費待機電力モードに遷移するので、起動信号の誤送信／誤受信で起動されることによる無駄な消費電力を削減できる。
【００８０】
（第８の実施形態）  
第８の実施形態は、低消費電力回路部２０に設けられている電力源２１を適当なタイミングで充電する構成である。図９は、起動トリガによる電力源２１の充電を説明するフローチャートである。起動トリガとは、電源スイッチＯＮ、タイマ満了時刻の経過、他の電子機器からの起動信号の受信である。映像記録再生装置１は、起動トリガを受信すると、電力供給が開始されるようにリレー回路１５を切り替える（Ｂｌｏｃｋ３０１）。このとき映像記録再生装置１は、低消費電力待機モードから通常動作モードへ遷移する。また、電力源２１は、ＡＣ／ＤＣ変換モジュール１６を介して給電される（Ｂｌｏｃｋ３０２）。
【００８１】
次に、ＣＰＵ１１ａは、ユーザのリモコン４００の操作による電源スイッチＯＦＦ、他の電子機器からのコマンドによって動作終了の指示を受けたか否かを判断する（Ｂｌｏｃｋ３０３）。ＣＰＵ１１ａが動作終了の指示を受けていない場合（Ｂｌｏｃｋ３０３、Ｎｏ）、ＣＰＵ１１ａは、動作終了の指示を受けたか否かの監視を継続する。
【００８２】
ＣＰＵ１１ａが動作終了の指示を受けた場合（Ｂｌｏｃｋ３０３、Ｙｅｓ）、ＣＰＵ１１ａは、電力源２１の充電が完了したか否かを判断する（Ｂｌｏｃｋ３０４）。このとき、映像記録再生装置１は、通常動作モードから待機モードへ遷移する。ＣＰＵ１１ａは、例えば電力源２１がフル充電の９５％以上充電されたと判断した場合、充電完了と判断する。ＣＰＵ１１ａは、電力源２１の充電が完了していないと判断した場合（Ｂｌｏｃｋ３０４、Ｎｏ）、電力源２１の充電が完了したか否かの監視を継続する。ＣＰＵ１１ａは、電力源２１の充電が完了したと判断した場合（Ｂｌｏｃｋ３０４、Ｙｅｓ）、タイマ２４のタイマ満了時刻を設定し、電力供給を停止するようにリレー回路１５を切り替える（Ｂｌｏｃｋ３０５）。このとき、映像記録再生装置１は、待機モードから低消費電力待機モードに遷移する。映像記録再生装置１は、起動トリガを受信するまで低消費電力待機モードを維持する。
【００８３】
ＣＰＵ１１ａは、タイマ満了時刻を例えば以下のように設定する。一例として、タイマ満了時刻は、電力源２１からの電力供給によって低消費電力回路部２０が起動トリガを連続して待つことができる時間に基づく時刻である。他の例として、タイマ満了時刻は、ＥＰＧデータの受信予定時刻、ユーザによる予約録画開始時刻、他の電子機器機器との通信開始予定時刻などである。
【００８４】
図１０は、タイマ満了時刻における電力源２１の充電を説明するフローチャートである。タイマ２４がタイマ満了時刻になったと判断すると、無線処理モジュール２３は、映像記録再生装置１にリレー回路１５を介して電力供給されるように切り替える（Ｂｌｏｃｋ４０１）。このとき、放送受信装置は、低消費電力待機モードから通常動作モードまたは待機モードに遷移する。電力源２１は、ＡＣ／ＤＣ変換モジュール１６を介して給電される。
【００８５】
次に、映像記録再生装置１は、タイマ満了時刻に設定された処理を実行する（Ｂｌｏｃｋ４０２）。一例としては、ＣＰＵ１１ａは、地上デジタル放送チューナ１０６を介してＥＰＧデータをダウンロードする。他の例としては、ＣＰＵ１１ａは、通信Ｉ／Ｆ１２を介して他の電子機器と通信する。ＣＰＵ１１ａは、処理が完了したか否かを判断する（Ｂｌｏｃｋ４０３）。ＣＰＵ１１ａは、処理が完了していないと判断した場合（Ｂｌｏｃｋ４０３、Ｎｏ）、処理が完了したか否かの監視を継続する。ＣＰＵ１１ａは、処理が完了したと判断した場合（Ｂｌｏｃｋ４０３、Ｎｏ）、Ｂｌｏｃｋ３０４と同様の処理（Ｂｌｏｃｋ４０４）、その後、Ｂｌｏｃｋ３０５と同様の処理（Ｂｌｏｃｋ４０５）を実行する。
【００８６】
第８の実施形態によれば、ユーザの利便性を損なうことのないタイミングで電力源２１を充電できる。また、電力源２１の充電が完了した後に映像記録再生装置１が低消費電力待機モードへ遷移するため、消費電力を削減できる。
【００８７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８８】
１０…電子機器メイン回路部、１１…制御モジュール、１２…通信Ｉ／Ｆ、１７…送信回路、２０…低消費電力回路部、２１…電力源、２２…待ち受け回路、２３…無線処理モジュール、２４…タイマ。
【図１】
0005455990.tif 000002
【図２】
0005455990.tif 000003
【図３】
0005455990.tif 000004
【図４】
0005455990.tif 000005
【図５】
0005455990.tif 000006
【図６】
0005455990.tif 000007
【図７】
0005455990.tif 000008
【図８】
0005455990.tif 000009
【図９】
0005455990.tif 000010
【図１０】
0005455990.tif 000011